(57)【要約】  身体的特徴に関する情報の提供の回数を低減するため、本発明の会計システムは、人を撮影する第１の撮影手段と、撮影された人に固有の身体的特徴に基づくコードを表示するコード表示手段と、を含む情報表示装置と、情報表示装置が表示したコードを撮影する第２の撮影手段と、撮影したコードを用いて、人の会計情報を取得する会計情報取得手段と、会計情報を用いて会計処理を実行する会計処理手段と、を含む情報処理装置と、を含む。
2020070870.tif 000002
【特許請求の範囲】
【請求項１】
人を撮影する第１の撮影手段と、
撮影された前記人に固有の身体的特徴に基づくコードを表示するコード表示手段と、
を含む情報表示装置と、
前記情報表示装置が表示した前記コードを撮影する第２の撮影手段と、
撮影した前記コードを用いて、前記人の会計情報を取得する会計情報取得手段と、
前記会計情報を用いて会計処理を実行する会計処理手段と、
を含む情報処理装置と、
を含む会計システム。
【請求項２】
前記情報表示装置が、
前記コードを保存するコード保存手段をさらに含み、
前記コード表示手段が、指示を基に、前記コード保存手段に保存されている前記コードを表示する
請求項１に記載の会計システム。
【請求項３】
前記情報表示装置が、
撮影された前記身体的特徴を基に、前記コードを生成するコード生成手段をさらに含み、
前記コード表示手段が、生成された前記コードを表示する
請求項１又は２に記載の会計システム。
【請求項４】
前記第１の撮影手段は、施設の入り口に設置されている
請求項３に記載の会計システム。
【請求項５】
前記情報表示装置が、さらに、
撮影された前記身体的特徴を用いて前記人の識別子を取得する識別子取得手段を含み、
前記コード表示手段が、取得した前記識別子を用いて前記コードを表示する
請求項１ないし４のいずれか１項に記載の会計システム。
【請求項６】
前記コードが、前記識別子の少なくとも一部を含む
請求項５に記載に会計システム。
【請求項７】
前記情報表示装置が、前記人からの指示を取得する指示取得手段をさらに含み、
前記コード表示手段が、前記指示取得手段からの前記指示を基に前記コードを表示する
請求項１ないし６のいずれか１項に記載の会計システム。
【請求項８】
前記コード表示手段が、
前記第１の撮影手段が片眼の虹彩画像を撮影した場合に片眼の前記コードを表示し、前記第１の撮影手段が両眼の前記虹彩画像を撮影した場合に両眼の前記コードを表示し、
前記会計情報取得手段が、
前記第２の撮影手段が両眼の前記コードを撮影した場合に、前記第２の撮影手段が片眼の前記コードを撮影した場合に取得する前記会計情報と、少なくとも一部が異なる前記会計情報を取得する
請求項１ないし７のいずれか１項に記載の会計システム。
【請求項９】
前記コード表示手段が、
前記第１の撮影手段が左眼の前記虹彩画像を撮影した場合に左眼の前記コードを表示し、前記第１の撮影手段が右眼の前記虹彩画像を撮影した場合に右眼の前記コードを表示し、
前記会計情報取得手段が、
前記第２の撮影手段が左眼の前記コードを撮影した場合に、前記第２の撮影手段が右眼の前記コードを撮影した場合に取得する前記会計情報と、少なくとも一部が異なる前記会計情報を取得する
請求項８に記載の会計システム。
【請求項１０】
前記コードが、一次元コード又は二次元コードである
請求項１ないし９のいずれか１項に記載の会計システム。
【請求項１１】
前記情報表示装置から受信した前記身体的特徴の画像を基に前記情報表示装置に前記コードを提供し、
前記情報処理装置から受信した前記コードを基に前記情報処理装置に前記会計情報を提供する
情報提供装置をさらに含む、
請求項１ないし１０のいずれか１項に記載の会計システム。
【請求項１２】
前記コードの情報量が、前記身体的特徴の画像の情報量より少ない
請求項１ないし１１のいずれか１項に記載の会計システム。
【請求項１３】
人を撮影する第１の撮影手段と、
コードを撮影し、
撮影した前記コードを用いて、前記人の会計情報を取得し、
前記会計情報を用いて会計処理を実行する
情報処理装置が撮影する前記コードとして、撮影された前記人に固有の身体的特徴に基づく前記コードを表示するコード表示手段と、
を含む情報表示装置。
【請求項１４】
人を撮影し、
撮影された前記人に固有の身体的特徴に基づくコードを表示する
情報表示装置が表示した前記コードを撮影する第２の撮影手段と、
撮影した前記コードを用いて、前記人の会計情報を取得する会計情報取得手段と、
前記会計情報を用いて会計処理を実行する会計処理手段と、
を含む情報処理装置。
【請求項１５】
会計システムにおいて、
情報表示装置が、
人を撮影し、
撮影された前記人に固有の身体的特徴に基づくコードを表示し、
情報処理装置が、
前記情報表示装置が表示した前記コードを撮影し、
撮影した前記コードを用いて、前記人の会計情報を取得し、
前記会計情報を用いて会計処理を実行する
会計処理方法。
【請求項１６】
情報表示装置が、
人を撮影し、
コードを撮影し、
撮影した前記コードを用いて、前記人の会計情報を取得し、
前記会計情報を用いて会計処理を実行する
情報処理装置が撮影する前記コードとして、撮影された前記人に固有の身体的特徴に基づく前記コードを表示する
会計処理方法。
【請求項１７】
情報処理装置が、
人を撮影し、
撮影された前記人に固有の身体的特徴に基づくコードを表示する
情報表示装置が表示した前記コードを撮影し、
撮影した前記コードを用いて、前記人の会計情報を取得し、
前記会計情報を用いて会計処理を実行する
会計処理方法。
【請求項１８】
情報表示装置に、
人を撮影する処理と、
コードを撮影し、
撮影した前記コードを用いて、前記人の会計情報を取得し、
前記会計情報を用いて会計処理を実行する
情報処理装置が撮影する前記コードとして、撮影された前記人に固有の身体的特徴に基づく前記コードを表示する処理と
を実行させるプログラムを記録する記録媒体。
【請求項１９】
情報処理装置に、
人を撮影し、
撮影された前記人に固有の身体的特徴に基づくコードを表示する
情報表示装置が表示した前記コードを撮影する処理と、
撮影した前記コードを用いて、前記人の会計情報を取得する処理と、
前記会計情報を用いた会計処理と
を実行させるプログラムを記録する記録媒体。
【発明の詳細な説明】
【技術分野】
【０００１】
本発明は、会計システムに関し、特に、生体認証を用いた会計システムに関する。
【背景技術】
【０００２】
商品及び／又はサービスに関する対価の支払として、貨幣に限らず、クレジットカードなどの電子データが用いられている。電子データに使用において、不正者などでの使用を避けるため、本人認証が行われる。【０００３】
また、空港での入国時、又は、データセンタへの入場時などでも、施設への入場において、本人認証が行われている。【０００４】
本人認証として、個人の身体的特徴に関連する情報（バイオメトリクス（ｂｉｏｍｅｔｒｉｃｓ）情報）を用いた認証が、用いられている（例えば、特許文献１ないし３を参照）。【０００５】
なお、バイオメトリクス情報として用いられる身体的特徴は、長期に渡り変化が少なく、かつ、他者の偽造が難しい特徴が望ましい。例えば、身体的特徴としては、指紋、血管、又は、虹彩が用いられている。【０００６】
特許文献１に記載の本人認証決済システムは、虹彩を用いて決済を行う。【０００７】
特許文献２に記載のカーウォレット決済システムは、生体認証を用いて、車両に乗車している顧客を認証し、顧客が車両で退出する際に、決算処理などを実行する。【０００８】
特許文献３に記載の情報処理システムは、来店者の顔画像を用いて、決済処理を行う。
【先行技術文献】
【特許文献】
【０００９】
【特許文献１】特開２０１８−１０１４２０号公報
【特許文献２】特開２００４−２２７１３４号公報
【特許文献３】特開２０１８−０４１１８１号公報
【発明の概要】
【発明が解決しようとする課題】
【００１０】
バイオメトリクス情報は、個人を特定できる情報であり、取扱いに注意が必要なセンシティブ情報（機微情報）の一つである。また、バイオメトリクス情報の提供の回数は、少ない方が望ましい。例えば、利用者は、バイオメトリクス情報を複数回取られることに対して、心理的負担が大きい。【００１１】
また、虹彩画像などのバイオメトリクス情報を用いた処理は、多数の画素を用いた処理であり、負荷が重い処理である。そのため、バイオメトリクス情報を用いた処理の回数は、少ない方が望ましい。【００１２】
しかし、特許文献１に記載の本人認証決済システムは、決済それぞれにおいて、虹彩認証を必要とする。【００１３】
特許文献２は、各店舗端末で、生体情報データを取得する。【００１４】
特許文献３に記載の情報処理システムは、来店者の顔画像を複数回（少なくとも、入店時と支払時）取得することが必要である。【００１５】
このように、特許文献１ないし３に記載の発明は、バイオメトリクス情報を複数回取得する必要があるという問題点があった。【００１６】
本発明の目的は、上記問題点を解決し、身体的特徴に関する情報の提供の回数を低減した会計システムなどを提供することにある。
【課題を解決するための手段】
【００１７】
本発明の一形態における会計システムは、
人を撮影する第１の撮影手段と、
撮影された人に固有の身体的特徴に基づくコードを表示するコード表示手段と、
を含む情報表示装置と、
情報表示装置が表示したコードを撮影する第２の撮影手段と、
撮影したコードを用いて、人の会計情報を取得する会計情報取得手段と、
会計情報を用いて会計処理を実行する会計処理手段と、
を含む情報処理装置と、を含む。【００１８】
本発明の一形態における情報表示装置は、
人を撮影する第１の撮影手段と、
コードを撮影し、
撮影したコードを用いて、人の会計情報を取得し、
会計情報を用いて会計処理を実行する
情報処理装置が撮影するコードとして、撮影された人に固有の身体的特徴に基づくコードを表示するコード表示手段と、
を含む。【００１９】
本発明の一形態における情報処理装置は、
人を撮影し、
撮影された人に固有の身体的特徴に基づくコードを表示する
情報表示装置が表示したコードを撮影する第２の撮影手段と、
撮影したコードを用いて、人の会計情報を取得する会計情報取得手段と、
会計情報を用いて会計処理を実行する会計処理手段と、
を含む。【００２０】
本発明の一形態における会計処理方法は、
会計システムにおいて、
情報表示装置が、
人を撮影し、
撮影された人に固有の身体的特徴に基づくコードを表示し、
情報処理装置が、
情報表示装置が表示したコードを撮影し、
撮影したコードを用いて、人の会計情報を取得し、
会計情報を用いて会計処理を実行する。【００２１】
本発明の第二の形態における会計処理方法は、
情報表示装置が、
人を撮影し、
コードを撮影し、
撮影したコードを用いて、人の会計情報を取得し、
会計情報を用いて会計処理を実行する
情報処理装置が撮影するコードとして、撮影された人に固有の身体的特徴に基づくコードを表示する。【００２２】
本発明の第三の形態における会計処理方法は、
情報処理装置が、
人を撮影し、
撮影された人に固有の身体的特徴に基づくコードを表示する
情報表示装置が表示したコードを撮影し、
撮影したコードを用いて、人の会計情報を取得し、
会計情報を用いて会計処理を実行する。【００２３】
本発明の一形態における記録媒体は、
情報表示装置に、
人を撮影する処理と、
コードを撮影し、
撮影したコードを用いて、人の会計情報を取得し、
会計情報を用いて会計処理を実行する
情報処理装置が撮影するコードとして、撮影された人に固有の身体的特徴に基づくコードを表示する処理と
を実行させるプログラムを記録する。【００２４】
本発明の第二の形態における記録媒体は、
情報処理装置に、
人を撮影し、
撮影された人に固有の身体的特徴に基づくコードを表示する
情報表示装置が表示したコードを撮影する処理と、
撮影したコードを用いて、人の会計情報を取得する処理と、
会計情報を用いた会計処理と
を実行させるプログラムを記録する。
【発明の効果】
【００２５】
本発明に基づけば、身体的特徴に関する情報の提供の回数を低減することができる。
【図面の簡単な説明】
【００２６】
【図１】図１は、第１の実施形態にかかる会計システムの構成の一例を示すブロック図である。
【図２】図２は、第１の実施形態にかかる会計システムの動作の一例を示すシーケンス図である。
【図３】図３は、第１の実施形態の概要である会計システムの構成の一例を示すブロック図である。
【図４】図４は、第１の実施形態にかかる情報表示装置の概要の一例を示すブロック図である。
【図５】図５は、第１の実施形態にかかる情報処理装置の概要の一例を示すブロック図である。
【図６】図６は、第１の実施形態にかかる情報表示装置などのハードウェア構成の一例を示すブロック図である。
【図７】図７は、第２の実施形態にかかる会計システムの構成の一例を示すブロック図である。
【図８】図８は、第３の実施形態にかかる会計システムの構成の一例を示すブロック図である。
【図９】図９は、第４の実施形態にかかる会計システムの構成の一例を示すブロック図である。
【発明を実施するための形態】
【００２７】
次に、図面を参照して、本発明における実施形態について説明する。
【００２８】
なお、各図面は、各実施形態を説明するためのものである。ただし、各実施形態は、各図面の記載に限られるわけではない。また、各図面の同様の構成には、同じ番号を付し、その繰り返しの説明を、省略する場合がある。また、以下の説明に用いる図面において、各実施形態の説明に関係しない部分の構成については、記載を省略し、図示しない場合もある。
【００２９】
各実施形態が用いる個人に固有の身体的な特徴（以下、「バイオメトリクス（ｂｉｏｍｅｔｒｉｃｓ）」と呼ぶ）は、限定されない。例えば、バイオメトリクスは、指紋、血管、虹彩、又はこれらの組合せである。以下の説明では、一例として、「虹彩」を用いる。ただし、これは、各実施形態の対象を虹彩に限定するものではない。各実施形態は、利用するバイオメトリクスを限定されない。
【００３０】
また、バイオメトリクスに関する情報（バイオメトリクス情報）としては、画像、又は、音声など、複数の情報の形式がある。以下の説明では、バイオメトリクス情報の一例として、画像（具体的には、虹彩画像）を用いて説明するが、これは、各実施形態の限定を意図するものではない。
【００３１】
各実施形態が用いるコードは、バイオメトリクス情報（虹彩画像）を基に生成される。コードは、一次元コード（例えば、バーコード）、又は、二次元コード（例えば、ＱＲコード（登録商標））でもよい。あるいは、コードは、ホログラムのような三次元に相当する情報を用いたものでもよい。このように、コードとは、数値を、所定の形状に変換したものである。
【００３２】
各実施形態において、コードの生成は、各コードの仕様に沿った生成方法を用いればよい。
【００３３】
一例として、バーコードについて説明すると、コードの生成は、次のような動作となる。コードに変換する画像を、２値（０と１）の連続したデータ（シリアルデータ）にする。そのデータの、いずれかの側（上位又は下位）から、順に、「０」と「１」それぞれについて以下のようにコードに変換する。「０」については、「０」が連続する数（ただし、１から４の範囲）を、対応する所定の４種類のスペース（白色の矩形）に変換する。「１」については、「１」が連続する数（ただし、１から４の範囲）を、対応する所定の４種類のバー（黒色の矩形）に変換する。このように作成した矩形の組合せであるコードに、所定のコード（左右のガードバーと、センターバーと、左右のマージン）を加えて、バーコードとする。
【００３４】
なお、バーコードなどについては、生成用のアプリケーションが広く提供されている。そのため、各実施形態は、それらのアプリケーションを用いればよい。
【００３５】
ただし、各実施形態は、利用するコードの形式を上記に限定されない。
【００３６】
なお、コードは、コードからバイオメトリクス情報を推測できない程度に情報量を削減した情報であることが望ましい。
【００３７】
これは、次のような理由のためである。
【００３８】
コードは、会計処理それぞれにおいて撮影及び通信される情報である。会計処理は、複数回となることが多い。そのため、コードは、複数回、撮影及び通信される可能性がある情報である。そして、撮影及び通信の回数が多くなるほど、その情報は、第三者への漏洩の可能性が高くなる。そこで、バイオメトリクス情報の漏洩を防ぐため、コードは、コードからバイオメトリクス情報を推測できない情報であることが望ましい。
【００３９】
また、情報量の削減は、一般的に、データの量の削減となる。そのため、コードの通信は、バイオメトリクス情報の通信に比べ、装置間での通信負荷を削減する。また、コードの処理は、バイオメトリクス情報を用いる処理に比べ、処理の負荷が低い。
【００４０】
さらに、コードは、バイオメトリクス情報に加え、他の情報を含んでいてもよい。
【００４１】
各実施形態は、会計処理を実行する。ただし、各実施形態は、実行する会計処理を限定されない。例えば、会計処理は、入金及び出金をまとめる決算処理、個別の入金処理又は出金処理である。あるいは、会計処理は、会計用の口座（例えば、銀行口座）からの引き落とし、又は、口座への払込みである。あるいは、会計処理は、個人への債務の設定（例えば、クレジットの引き落とし口座への費用の請求）である。以下の説明では、一例として、会計処理は、特に断らない限り、クレジットの引き落とし口座への費用などの請求とする。
【００４２】
＜第１の実施形態＞
以下、図面を参照して、第１の実施形態について説明する。
【００４３】
［構成の説明］
まず、第１の実施形態にかかる会計システム４００の構成について、図面を参照して説明する。
【００４４】
図１は、第１の実施形態にかかる会計システム４００の構成の一例を示すブロック図である。
【００４５】
会計システム４００は、情報表示装置１００と、情報処理装置２００と、情報提供装置３００とを含む。
【００４６】
なお、図１は、会計システム４００に含まれる各装置を各々１台ずつとしている。しかし、これは、図面を明確とするためであり、会計システム４００が含む装置の数を限定するものではない。会計システム４００が含む各装置の数は、１つに限られない。例えば、会計システム４００は、複数台の情報処理装置２００を含んでもよい。
【００４７】
情報表示装置１００は、通信路を介して、情報提供装置３００と接続されている。情報処理装置２００は、通信路を介して、情報提供装置３００と接続されている。上記の通信路は、同じネットワーク内の回線でもよく、異なっていてもよい。
【００４８】
情報提供装置３００は、通信路を介して情報表示装置１００及び情報処理装置２００に情報を提供する。
【００４９】
情報提供装置３００が提供する情報の取得元は、限定されない。例えば、情報提供装置３００は、情報を提供する際に図示しない装置から情報を取得し、取得した情報を提供してもよい。ただし、説明の便宜のため、以下の説明では、情報提供装置３００は、予め、情報を保存しているとする。
【００５０】
なお、情報提供装置３００は、情報表示装置１００及び／又は情報処理装置２００を認証してもよい。
【００５１】
例えば、後ほど説明するように、情報提供装置３００は、情報表示装置１００から虹彩画像を受信する。そこで、情報提供装置３００は、受信した虹彩情報を用いて正当な者（例えば、情報表示装置１００の所有者）からの依頼か否かを判定してもよい。
【００５２】
情報表示装置１００は、虹彩を撮影し、情報提供装置３００から撮影した虹彩に関連するコードを取得し、取得したコードを表示する。
【００５３】
情報処理装置２００は、情報表示装置１００が表示するコードを撮影し、情報提供装置３００から撮影したコードに関連する会計情報を取得し、取得した会計情報を用いて個人に関する会計処理を実行する。会計情報及び会計処理は、限定されない。会計情報は、例えば、口座番号である。その場合、会計処理は、例えば、その口座に対する費用の請求である。
【００５４】
会計システム４００が、ショッピングモールに適用された場合、例えば、各装置は、次のように動作する。
【００５５】
情報提供装置３００は、ショッピングモールの運営会社、又は、銀行などに備えられている装置である。情報提供装置３００は、予め、必要となる情報（例えば、会計情報）を保存している。
【００５６】
情報表示装置１００は、ショッピングモールの利用者が使用する装置である。例えば、ショッピングモールの利用者は、ショッピングモールの入場時に、情報表示装置１００（例えば、携帯電話など）で自分の虹彩を撮影する。次に、情報表示装置１００は、情報提供装置３００から虹彩に関連するコードを取得し、情報表示装置１００に保存する。そして、利用者は、例えば、商品の購入時に情報表示装置１００を操作して、コードを表示させる。
【００５７】
情報処理装置２００は、ショッピングモールの入っている店舗に設けられた装置である。各店舗には、それぞれ、情報処理装置２００が設置されている。つまり、ショッピングモール内には、複数の情報処理装置２００が設置され、有線又は無線の通信路で接続されている。なお、情報処理装置２００は、店舗の販売員が携帯する装置でもよい。
【００５８】
販売員は、利用者による商品の購入時に、情報処理装置２００を用いて情報表示装置１００に表示されたコードを読み取る。情報処理装置２００は、読み取ったコードに関連する口座に商品の価格を請求する。
【００５９】
さらに、情報処理装置２００は、コードを用いて、利用者に対する価格などを変更してもよい。例えば、情報処理装置２００は、利用者が免税者か課税者かを判定してもよい。あるいは、情報処理装置２００は、利用者が一般顧客か会員かを判定してもよい。情報処理装置２００は、上記の判定に用いる情報を、情報提供装置３００から会計情報として取得すればよい。
【００６０】
なお、ショッピングモールは、情報処理装置２００が設置されている施設の一例である。情報処理装置２００が設置されている施設は、ショッピングモールに限定されない。例えば、情報処理装置２００が設置されている施設は、空港、美術館、博物館、展示場、図書館、又は、アミューズメントパークである。
【００６１】
なお、これらの施設は、入場に、利用者のバイオメトリクス情報を用いて、入場者の認証を行う場合がある。このような場合、これらの施設の利用者は、入場における認証（バイオメトリクス認証）において、認証に用いたバイオメトリクス情報からコードを取得してもよい。例えば、施設における認証装置が、認証に用いたバイオメトリクス情報を基にコードを生成し、生成したコードを情報表示装置１００に提供してもよい。
【００６２】
なお、情報提供装置３００は、会計システム４００の外部の装置でもよい。この場合、会計システム４００は、必要に応じて、情報提供装置３００に相当する外部の装置から、情報を取得すればよい。
【００６３】
次に、各装置の詳細な構成について説明する。
【００６４】
情報提供装置３００は、情報保存部３１０と、情報提供部３２０とを含む。
【００６５】
情報保存部３１０は、情報表示装置１００及び情報処理装置２００が使用する情報を保存する。情報保存部３１０は、関連付けが必要な情報に関しては、それぞれを関連付けて保存する。
【００６６】
例えば、本実施形態の説明においては、情報保存部３１０は、次の情報を保存する。
【００６７】
情報保存部３１０は、虹彩画像と、コードとを関連付けて保存する。さらに、情報保存部３１０は、コードと会計情報とを関連付けて保存する。
【００６８】
情報保存部３１０は、情報表示装置１００などからの依頼の前に、必要となる情報を保存しておけば、情報を保存するタイミングなどは限定されない。また、情報保存部３１０は、情報を送信してくる送信元を限定されない。情報提供装置３００は、予め、関連する装置（例えば、銀行の装置）から情報の提供を受けて保存しておけばよい。
【００６９】
情報保存部３１０は、上記の情報をひとまとまりの情報として保存してもよい。あるいは、情報保存部３１０は、上記の情報を複数の情報の組として保存してもよい。この場合、情報保存部３１０は、複数の構成又は装置を用いて構成されてもよい。例えば、情報保存部３１０は、虹彩画像とコードとを関連付けて保存する構成（第１の保存部）と、コードと会計情報とを関連付けて保存する構成（第２の保存部）とを用いて構成されてもよい。あるいは、情報提供装置３００が、上記の第１の保存部を含む装置と、上記の第２の保存部を含む装置との組合せとして構成されてもよい。
【００７０】
情報提供部３２０は、情報表示装置１００及び情報処理装置２００からの指示を基に、情報間の関連付けを用いて、情報保存部３１０が保存する情報から指示に関連した情報を提供する。
【００７１】
情報提供部３２０は、情報表示装置１００から虹彩画像に関連するコードの提供を指示された場合、情報保存部３１０に保存されているコードの中から指示に含まれる虹彩画像に関連するコードを、情報表示装置１００に提供する。なお、情報提供装置３００は、コードの配布における安全性を向上させるため、コードを送信する情報表示装置１００の認証を実行してもよい。
【００７２】
ただし、情報表示装置１００が生成する虹彩画像は、同じ個人の虹彩を用いても、常に同じ画像となるわけではない。
【００７３】
例えば、虹彩画像は、情報表示装置１００に対する虹彩の位置に伴って、変化する。その結果、情報提供装置３００が受信する虹彩画像は、同じ個人の虹彩画像であっても、必ずしも一致するとは限らない。
【００７４】
そこで、情報提供部３２０は、情報表示装置１００から受信した虹彩画像と保存している虹彩画像との一致の判定において、完全な一致に加え、所定の範囲の誤差を許容してよい。例えば、情報提供部３２０は、虹彩画像の一致判定として、９５%以上の一致を用いてもよい。あるいは、情報保存部３１０が複数の虹彩画像を保存する場合、情報提供部３２０は、一致の割合が最も高い虹彩画像を一致する虹彩画像と判定してもよい。
【００７５】
さらに、情報提供部３２０は、虹彩画像の一致の判定において、画像の移動、回転、拡大、縮小、変形、及びこれらの組合せなどの画像処理を用いてもよい。
【００７６】
なお、情報提供装置３００は、情報表示装置１００から受信した虹彩画像を基にコードを作成してもよい。この場合、情報提供装置３００は、情報保存部３１０を含まなくてもよい。
【００７７】
あるいは、情報提供部３２０は、情報処理装置２００からコードに関連する会計情報の提供を指示された場合、情報保存部３１０に保存されている会計情報の中から、指示に含まれたコードに関連する会計情報を情報処理装置２００に提供する。なお、情報提供装置３００は、会計情報の配布における安全性を向上させるため、会計情報を送信する情報処理装置２００の認証を実行してもよい。
【００７８】
なお、バイオメトリクス情報からコードを生成する手法として、複数の手法が用いられる場合がある。この場合、生成されるコードは、手法ごとに異なる可能性がある。そこで、情報提供装置３００は、会計画像に関連付けるコードとして、会計システム４００が利用している手法それぞれに対するコードを保存しておいてもよい。
【００７９】
さらに、例えば、コードは、コードを生成する手法を示す情報を含んでもよい。この場合、情報提供部３２０は、コードに含まれている生成手法を考慮して比較対象となるコードを選択すればよい。
【００８０】
なお、情報提供部３２０は、虹彩画像の一致の判定と同様に、コードの一致において、所定の許容範囲を用いてもよい。
【００８１】
情報表示装置１００は、撮影部１１０（以下、必要に応じて「第１の撮影部」とも呼ぶ）と、コード取得部１２０と、コード表示部１３０とを含む。
【００８２】
撮影部１１０は、人又は人の一部を撮影し、撮影された画像を取得する。例えば、撮影部１１０は、虹彩を撮影し、虹彩画像を生成する。なお、撮影部１１０は、情報表示装置１００の外部の装置でもよい。例えば、撮影部１１０は、施設の入り口に設けられたカメラでもよい。
【００８３】
コード取得部１２０は、撮影部１１０（第１の撮影部）が撮影した虹彩画像を用いて、情報提供装置３００から、虹彩に関連するコードを取得する。
【００８４】
コード表示部１３０は、取得したコードを表示する。例えば、コード表示部１３０は、図示しない液晶ディスプレイを含み、その液晶ディスプレイにコードを表示してもよい。コード表示部１３０は、図示しない外部の装置に、コードを表示してもよい。このように、コード表示部１３０は、虹彩のような人に固有な身体的特徴に基づくコードを表示する。
【００８５】
情報処理装置２００は、撮影部２１０（以下、必要に応じて「第２の撮影部」とも呼ぶ）、会計情報取得部２２０と、会計処理部２３０とを含む。
【００８６】
撮影部２１０は、情報表示装置１００が表示したコードを撮影し、撮影した画像データを出力する。
【００８７】
会計情報取得部２２０は、画像データからのコードを用いて、情報提供装置３００から会計情報を取得する。
【００８８】
会計処理部２３０は、取得した会計情報を用いて、会計処理を実行する。例えば、会計処理部２３０は、商品の価格を銀行の引き落とし口座に請求する。
【００８９】
上記において、虹彩の撮影は、最初の１回である。それ以降、会計システム４００は、コードを用いて、会計処理（例えば、引き落とし口座に対する商品の価格の請求）を実行できる。
【００９０】
このように、会計システム４００は、身体的特徴に関する情報（例えば、虹彩画像）の通信を１回に抑えながら、複数の店舗での購入など複数回の会計処理を実行することができる。
【００９１】
［動作の説明］
次に、図面を参照して、第１の実施形態にかかる会計システム４００の動作について、図面を参照して説明する。
【００９２】
図２は、第１の実施形態にかかる会計システム４００の動作の一例を示すシーケンス図である。
【００９３】
なお、情報提供装置３００は、予め、必要となる情報を保存している。
【００９４】
まず、情報表示装置１００が、虹彩を撮影する（Ｓ４０１）。
【００９５】
情報表示装置１００は、虹彩画像を情報提供装置３００に送信する（Ｓ４０２）。
【００９６】
情報提供装置３００が、虹彩画像に関連するコードを送り返す（Ｓ４０３）。
【００９７】
情報表示装置１００は、受信したコードを表示する（Ｓ４０４）。
【００９８】
情報処理装置２００は、コードを撮影する（Ｓ４０５）。
【００９９】
情報処理装置２００は、撮影したコードのデータを情報提供装置３００に送信する（Ｓ４０６）。
【０１００】
情報提供装置３００は、コードに関連する会計情報を送り返す（Ｓ４０７）。
【０１０１】
情報処理装置２００は、受信した会計情報を用いて、会計処理を実行する（Ｓ４０８）。
【０１０２】
会計システム４００は、上記のＳ４０４からＳ４０８の動作を、繰り返してもよい。また、複数の情報処理装置２００が、Ｓ４０５からＳ４０８の動作を実行してもよい。
【０１０３】
［効果の説明］
次に第１の実施形態にかかる会計システム４００の効果について説明する。
【０１０４】
第１の実施形態にかかる会計システム４００は、身体的特徴に関する情報の提供の回数を低減するとの効果を得ることができる。
【０１０５】
その理由は、次のとおりである。
【０１０６】
会計システム４００は、情報表示装置１００と、情報処理装置２００とを含む。情報表示装置１００は、撮影部１１０（第１の撮影部）と、コード取得部１２０と、コード表示部１３０とを含む。撮影部１１０は、会計を行う人を撮影し、人に固有の身体的特徴が撮影された画像を取得する。コード取得部１２０は、人に固有の身体的特徴が撮影された画像に関連するコードを取得する。コード表示部１３０は、取得されたコード、つまり、人に固有の身体的特徴に基づくコードを表示する。情報処理装置２００は、撮影部２１０（第２の撮影部）と、会計情報取得部２２０と、会計処理部２３０とを含む。撮影部２１０は、情報表示装置１００が表示したコードを撮影する。会計情報取得部２２０は、撮影したコードを用いて、人の会計情報を取得する。会計処理部２３０は、会計情報を用いて会計処理を実行する。
【０１０７】
情報提供装置３００は、上記において必要となる情報を提供する。
【０１０８】
上記の会計システム４００において、情報表示装置１００は、１回のバイオメトリクス画像の撮影を基に、何度でもコードを表示することができる。そして、情報処理装置２００は、情報表示装置１００に表示されたコードを用いて、何度でも会計処理を実行できる。さらに、複数の情報処理装置２００が、情報表示装置１００に表示されたコードを用いて、何度でも会計処理を実行できる。
【０１０９】
このように、会計システム４００は、情報表示装置１００における１回のバイオメトリクス画像の撮影を基に、情報処理装置２００における複数回の会計処理を実行できる。
【０１１０】
さらに、会計システム４００は、情報表示装置１００に表示されたコードを用いているため、利用者の身体的特徴に関する情報の漏洩を防ぐことができる。
【０１１１】
なお、会計システム４００は、コードに使用可能期間又は使用範囲を設定してもよい。例えば、会計システム４００は、コードの使用期限を、情報処理装置２００が設けられている施設に入場した日に限定してもよい。あるいは、会計システム４００は、コードが使用できる情報処理装置２００の数又は範囲を限定してもよい。
【０１１２】
この場合、情報処理装置２００側でのコードの不正使用などを、ある程度防止できる。
【０１１３】
さらに、会計システム４００は、バイオメトリクス情報を情報処理装置２００などが設けられている店舗など第三者に提供せずに、会計処理を実行できるとの効果を提供する。
【０１１４】
その理由は、情報表示装置１００が、情報処理装置２００に対して、バイオメトリクス情報ではなく、コードを表示するためである。
【０１１５】
［実施形態の概要］
次に、図面を参照して、第１の実施形態の概要を説明する。
【０１１６】
図３は、第１の実施形態の概要である会計システム４０１の構成の一例を示すブロック図である。
【０１１７】
会計システム４０１は、情報表示装置１０４と、情報処理装置２００とを含む。情報表示装置１０４は、撮影部１１０（第１の撮影部）と、コード表示部１３０とを含む。撮影部１１０は、人を撮影する。コード表示部１３０は、撮影された人に固有の身体的特徴に基づくコードを表示する。情報処理装置２００は、撮影部２１０（第２の撮影部）と、会計情報取得部２２０と、会計処理部２３０とを含む。撮影部２１０は、情報表示装置１００が表示したコードを撮影する。会計情報取得部２２０は、撮影したコードを用いて、人の会計情報を取得する。会計処理部２３０は、会計情報を用いて会計処理を実行する。
【０１１８】
情報表示装置１０４及び情報処理装置２００は、情報提供装置３００に相当する装置に接続され、情報を取得する。そして、上記のように、会計システム４０１に含まれる各構成は、会計システム４００における対応する各構成と同様に動作する。
【０１１９】
このように構成された会計システム４０１は、会計システム４００と同様の効果を得ることができる。
【０１２０】
その理由は、会計システム４０１の各構成が、会計システム４００における同様の構成と同様に動作するためである。つまり、会計システム４０１は、１回の身体的特徴の取得を用いて、複数回の会計処理を実行できるためである。
【０１２１】
なお、会計システム４０１は、第１の実施形態における会計システム４００の最小構成の一例である。
【０１２２】
図４は、第１の実施形態にかかる情報表示装置１０４の概要の一例を示すブロック図である。
【０１２３】
図４に示されている情報表示装置１０４は、図３に示されている情報表示装置１０４と同様の構成を含む。情報表示装置１０４は、情報提供装置３００と同様の機能を備える装置と接続されている。
【０１２４】
そして、情報表示装置１０４は、撮影部１１０（第１の撮影部）と、コード表示部１３０とを含む。撮影部１１０は、人を撮影する。コード表示部１３０は、情報処理装置２００に相当する装置が撮影するコードとして、撮影された人に固有の身体的特徴に基づくコードを表示する。情報処理装置２００に相当する装置は、コードを撮影し、撮影したコードを用いて、人の会計情報を取得し、会計情報を用いて会計処理を実行する。
【０１２５】
このように構成された情報表示装置１０４は、各構成を用いて、身体的特徴の関する情報の提供回数を低減してコードを表示する。
【０１２６】
その理由は、図４に示されている情報表示装置１０４の各構成が、図１を参照して説明した情報表示装置１００の構成と同様に動作するためである。
【０１２７】
なお、図４に示されている情報表示装置１０４は、第１の実施形態における情報表示装置１００の最小構成の一例である。
【０１２８】
図５は、第１の実施形態にかかる情報処理装置２００の概要の一例を示すブロック図である。
【０１２９】
図５に示されている情報処理装置２００は、図１に示されている情報処理装置２００と同様の構成を含む。情報処理装置２００は、情報提供装置３００と同様の機能を備える装置と接続されている。
【０１３０】
そして、情報処理装置２００は、撮影部２１０（第２の撮影部）と、会計情報取得部２２０と、会計処理部２３０とを含む。撮影部２１０は、情報表示装置１００に相当する装置が表示したコードを撮影する。情報表示装置１００に相当する装置は、人を撮影し、撮影された人に固有の身体的特徴に基づくコードを表示する。会計情報取得部２２０は、撮影したコードを用いて、人の会計情報を取得する。会計処理部２３０は、会計情報を用いて会計処理を実行する。
【０１３１】
このように構成された情報処理装置２００は、各構成を用いて、身体的特徴の関する情報の提供回数を低減してコードに関連した会計処理を実行する。
【０１３２】
その理由は、図５に示されている情報処理装置２００の各構成が、図１を参照して説明した情報処理装置２００の構成と同様に動作するためである。
【０１３３】
なお、図５に示されている情報処理装置２００は、第１の実施形態における情報処理装置２００の最小構成の一例である。
【０１３４】
［ハードウェア構成］
次に、情報表示装置１００、情報処理装置２００、及び、情報提供装置３００（以下、「情報表示装置１００など」と呼ぶ）のハードウェア構成について説明する。
【０１３５】
情報表示装置１００などの各構成部は、ハードウェア回路で構成されてもよい。
【０１３６】
あるいは、情報表示装置１００などにおいて、各構成部は、ネットワークを介して接続した複数の装置を用いて、構成されてもよい。
【０１３７】
あるいは、情報表示装置１００などにおいて、複数の構成部は、１つのハードウェアで構成されてもよい。
【０１３８】
あるいは、情報表示装置１００などは、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とを含むコンピュータとして実現されてもよい。情報表示装置１００などは、上記構成に加え、さらに、入出力接続回路（ＩＯＣ：Ｉｎｐｕｔ  ａｎｄ  Ｏｕｔｐｕｔ  Ｃｉｒｃｕｉｔ）を含むコンピュータとして実現されてもよい。情報表示装置１００などは、上記構成に加え、さらに、ネットワークインターフェース回路（ＮＩＣ：Ｎｅｔｗｏｒｋ  Ｉｎｔｅｒｆａｃｅ  Ｃｉｒｃｕｉｔ）を含むコンピュータとして実現されてもよい。
【０１３９】
図６は、第１の実施形態にかかる情報表示装置１００などのハードウェア構成の一例である情報処理装置６００の構成を示すブロック図である。
【０１４０】
情報処理装置６００は、ＣＰＵ６１０と、ＲＯＭ６２０と、ＲＡＭ６３０と、内部記憶装置６４０と、ＩＯＣ６５０と、ＮＩＣ６８０とを含み、コンピュータを構成している。
【０１４１】
ＣＰＵ６１０は、ＲＯＭ６２０及び／又は内部記憶装置６４０からプログラムを読み込む。そして、ＣＰＵ６１０は、読み込んだプログラムに基づいて、ＲＡＭ６３０と、内部記憶装置６４０と、ＩＯＣ６５０と、ＮＩＣ６８０とを制御する。
【０１４２】
そして、ＣＰＵ６１０を含むコンピュータは、これらの構成を制御し、図１に示されている、情報表示装置１００などの各機能を実現する。例えば、ＣＰＵ６１０を含むコンピュータは、情報表示装置１００における撮影部１１０と、コード取得部１２０と、コード表示部１３０としての各機能を実現する。あるいは、ＣＰＵ６１０を含むコンピュータは、情報処理装置２００における撮影部２１０と、会計情報取得部２２０と、会計処理部２３０としての各機能を実現する。あるいは、ＣＰＵ６１０を含むコンピュータは、情報提供装置３００における情報保存部３１０と情報提供部３２０としての各機能を実現する。
【０１４３】
なお、撮影部１１０又は撮影部２１０としての機能を実現する場合、ＣＰＵ６１０を含むコンピュータは、図示しないカメラなどの撮影機器を含んでもよい。この場合、撮影機器は、ＣＰＵ６１０からの指示に基づいて虹彩を撮影する。例えば、ＣＰＵ６１０を含むコンピュータは、撮影部１１０又は撮影部２１０に用いる撮影機器として、後ほど説明する入力機器６６０を用いてもよい。この場合、ＣＰＵ６１０を含むコンピュータは、入力機器６６０を含んでもよい。ただし、入力機器６６０は、コンピュータに含まれなくてもよい。
【０１４４】
ＣＰＵ６１０は、各機能を実現する際に、ＲＡＭ６３０又は内部記憶装置６４０を、プログラムの一時記憶媒体として使用してもよい。
【０１４５】
また、ＣＰＵ６１０は、コンピュータで読み取り可能にプログラムを記憶した記録媒体７００が含むプログラムを、図示しない記憶媒体読み取り装置を用いて読み込んでもよい。あるいは、ＣＰＵ６１０は、ＮＩＣ６８０を介して、図示しない外部の装置からプログラムを受け取り、ＲＡＭ６３０又は内部記憶装置６４０に保存して、保存したプログラムを基に動作してもよい。
【０１４６】
ＲＯＭ６２０は、ＣＰＵ６１０が実行するプログラム及び固定的なデータを記憶する。ＲＯＭ６２０は、例えば、Ｐ−ＲＯＭ（Ｐｒｏｇｒａｍｍａｂｌｅ−ＲＯＭ）又はフラッシュＲＯＭである。
【０１４７】
ＲＡＭ６３０は、ＣＰＵ６１０が実行するプログラム及びデータを一時的に記憶する。ＲＡＭ６３０は、例えば、Ｄ−ＲＡＭ（Ｄｙｎａｍｉｃ−ＲＡＭ）である。
【０１４８】
内部記憶装置６４０は、情報処理装置６００が長期的に保存するデータ及びプログラムを記憶する。また、内部記憶装置６４０は、ＣＰＵ６１０の一時記憶装置として動作してもよい。内部記憶装置６４０は、例えば、ハードディスク装置、光磁気ディスク装置、ＳＳＤ（Ｓｏｌｉｄ  Ｓｔａｔｅ  Ｄｒｉｖｅ）又はディスクアレイ装置である。
【０１４９】
ＲＯＭ６２０と内部記憶装置６４０とは、不揮発性（ｎｏｎ−ｔｒａｎｓｉｔｏｒｙ）の記憶媒体である。一方、ＲＡＭ６３０は、揮発性（ｔｒａｎｓｉｔｏｒｙ）の記憶媒体である。そして、ＣＰＵ６１０は、ＲＯＭ６２０、内部記憶装置６４０、又は、ＲＡＭ６３０に記憶されているプログラムを基に動作可能である。つまり、ＣＰＵ６１０は、不揮発性記憶媒体又は揮発性記憶媒体を用いて動作可能である。
【０１５０】
ＩＯＣ６５０は、ＣＰＵ６１０と、入力機器６６０及び表示機器６７０とのデータを仲介する。ＩＯＣ６５０は、例えば、ＩＯインターフェースカード又はＵＳＢ（Ｕｎｉｖｅｒｓａｌ  Ｓｅｒｉａｌ  Ｂｕｓ）カードである。さらに、ＩＯＣ６５０は、ＵＳＢのような有線に限らず、無線を用いてもよい。
【０１５１】
入力機器６６０は、情報処理装置６００の操作者からの入力指示を受け取る機器である。入力機器６６０は、例えば、キーボード、マウス又はタッチパネルである。入力機器６６０は、撮影部１１０又は撮影部２１０に用いられる撮影機器でもよい。
【０１５２】
表示機器６７０は、情報処理装置６００の操作者に情報を提示する機器である。例えば、コード表示部１３０は、表示機器６７０にコードを表示してもよい。表示機器６７０は、例えば、液晶ディスプレイ、有機エレクトロルミネッセンス・ディスプレイ、又は、電子ペーパーである。
【０１５３】
ＮＩＣ６８０は、ネットワークを介した情報表示装置１００などとの間、及び、情報表示装置１００などと図示しない外部の装置とのデータのやり取りを中継する。ＮＩＣ６８０は、例えば、ＬＡＮ（Ｌｏｃａｌ  Ａｒｅａ  Ｎｅｔｗｏｒｋ）カードである。さらに、ＮＩＣ６８０は、有線に限らず、無線を用いてもよい。
【０１５４】
このように構成された情報処理装置６００は、情報表示装置１００などと同様の効果を得ることができる。
【０１５５】
その理由は、情報処理装置６００のＣＰＵ６１０が、プログラムに基づいて情報表示装置１００などと同様の機能を実現できるためである。
【０１５６】
＜第２の実施形態＞
虹彩画像は、センシティブ情報である。虹彩画像の通信は、安全性を確保した通信路での通信を用いた方が望ましい。また、個人の虹彩画像と、その個人の会計情報とは、関連付けられない方が望ましい。
【０１５７】
そこで、第２の実施形態として、虹彩画像の通信の安全性を向上させた会計システム４０２を説明する。なお、以下の説明において第１の実施形態と同様の構成及び動作については、適宜省略する。
【０１５８】
図７は、第２の実施形態にかかる会計システム４０２の構成の一例を示すブロック図である。なお、図７は、会計システム４０２が含む各装置の数を限定するものではない。例えば、会計システム４０２は、複数の情報処理装置２００を含んでもよい。また、会計システム４０２を構成する各装置は、図６に示されているコンピュータを用いて構成されてもよい。なお、コンピュータを用いて各装置を実現する場合、会計システム４０２は、必要に応じて、カメラなどの撮影機器を含んでもよい。
【０１５９】
会計システム４０２は、情報表示装置１０１と、情報処理装置２００と、情報提供装置３０１と、情報提供装置３０２とを含む。
【０１６０】
情報提供装置３０１は、情報保存部３１１と、情報提供部３２１とを含む。
【０１６１】
情報保存部３１１は、情報表示装置１０１に提供する情報を保存する。本実施形態の説明では、情報保存部３１１は、虹彩画像とコードとを関連付けて保存する。ただし、これは、本実施形態を限定する意図ではない。情報保存部３１１が保存する情報は、上記に限定されない。
【０１６２】
情報提供部３２１は、情報表示装置１０１から受信した虹彩画像に関連するコードを、情報表示装置１０１に提供する。
【０１６３】
情報提供装置３０２は、情報保存部３１２と、情報提供部３２２とを含む。
【０１６４】
情報保存部３１２は、情報処理装置２００に提供する情報を保存する。本実施形態の説明では、情報保存部３１２は、コードと会計情報とを関連付けて保存する。ただし、これは、本実施形態を限定する意図ではない。情報保存部３１１が保存する情報は、上記に限定されない。
【０１６５】
情報提供部３２２は、情報処理装置２００から受信したコードに関連する会計情報を、情報処理装置２００に提供する。
【０１６６】
情報処理装置２００の構成は、第１の実施形態と同様である。ただし、情報処理装置２００は、情報提供装置３０２と接続されている。そして、情報処理装置２００は、第１の実施形態と同様に、撮影したコードを用いて情報提供装置３０２から会計情報を取得し、会計処理を実行する。情報処理装置２００は、虹彩画像を保存している情報提供装置３０１と接続する必要がない。
【０１６７】
情報表示装置１０１は、情報表示装置１００の構成に加え、コード保存部１４０と、指示取得部１５０とを含む。
【０１６８】
コード取得部１２０は、情報提供装置３０１から、撮影部１１０が撮影した虹彩画像に関連するコードを取得する。そして、コード取得部１２０は、取得したコードの保存をコード保存部１４０に依頼する。
【０１６９】
さらに、コード取得部１２０は、指示を基に、コード保存部１４０に保存されているコードを取得して、コード表示部１３０に表示する。
【０１７０】
コード保存部１４０は、コードを保存する。
【０１７１】
さらに、コード保存部１４０は、撮影された虹彩画像に関連するコードとして、１つのコードに限られず、複数のコードを保存してもよい。この場合、コード取得部１２０は、選択規則に基づいて、複数のコードの中から表示するコードを選択してもよい。例えば、コード取得部１２０は、表示のたびに、ランダムにコードを選択してもよい。
【０１７２】
さらに、コード取得部１２０は、表示するコードを変えるタイミングを、限定されない。例えば、コード取得部１２０は、コードの表示の回数が所定の数を超えると、コードを変更してもよい。あるいは、コード取得部１２０は、所定の時間ごとに、コードを変更してもよい。あるいは、コード取得部１２０は、後ほど説明する指示取得部１５０から、表示するコードの選択に関する指示を取得してもよい。
【０１７３】
指示取得部１５０は、情報表示装置１０１におけるコードの表示の指示を受け付ける。
【０１７４】
指示取得部１５０は、例えば、情報表示装置１０１におけるスイッチ、キー、又は、タッチパネルである。あるいは、指示取得部１５０は、情報表示装置１０１が備えている加速度センサ、又は、回転センサでもよい。
【０１７５】
そして、情報表示装置１０１は、次のように動作する。
【０１７６】
情報表示装置１０１は、予め、撮影部１１０を用いて虹彩を撮影し、コード取得部１２０を用いて情報提供装置３０１から虹彩画像に関連するコードを取得し、コード保存部１４０に保存する。情報表示装置１０１が情報提供装置３０１からコードを取得するために用いる通信路は、安全な通信路（例えば、ケーブルなどを用いた直接的な接続、専用回線、又は、安全性を確保された施設内のイントラネット接続）であることが望ましい。
【０１７７】
そして、コード取得部１２０は、指示取得部１５０からの指示を基にコード保存部１４０に保存しているコードをコード表示部１３０に表示する。
【０１７８】
なお、コード保存部１４０は、コードに関連付けて、虹彩画像を保存してもよい。この場合、コード取得部１２０は、例えば、次のように動作する。
【０１７９】
まず、コード取得部１２０は、予め、撮影部１１０が撮影した虹彩画像に関連するコードを情報提供装置３０１から取得する。そして、コード保存部１４０は、虹彩画像とコードとを関連付けて保存する。
【０１８０】
そして、コード取得部１２０は、指示取得部１５０からの指示を基に、撮影部１１０で撮影した虹彩画像を取得する。そして、コード取得部１２０は、撮影した虹彩画像とコード保存部１４０が保存している虹彩画像とが一致するか否かを判定する。そして、コード取得部１２０は、一致した場合に、コード保存部１４０に保存されているコードを取得する。そして、コード表示部１３０は、取得されたコードを表示する。
【０１８１】
さらに、コード保存部１４０は、複数の虹彩画像と、各虹彩画像に関連するコードとを関連付けて保存してもよい。この場合、コード取得部１２０は、次のように動作してもよい。
【０１８２】
コード取得部１２０は、指示取得部１５０からの指示を基に、撮影部１１０を用いて虹彩画像を取得する。そして、コード取得部１２０は、コード保存部１４０に保存されている虹彩画像と取得した虹彩画像とを比較し、最も一致する虹彩画像に関連するコードを取得する。そして、コード取得部１２０は、取得したコードをコード表示部１３０に表示する。
【０１８３】
これまでの説明のように、情報処理装置２００がコードから会計情報を取得するために用いる通信路及び通信相手（情報提供装置３０２）は、情報表示装置１０１が虹彩画像からコードを取得するために用いる通信路及び通信相手（情報提供装置３０１）と異なる。そのため、情報処理装置２００は、コードに関連する虹彩画像を取得できない。つまり、会計システム４０２は、虹彩画像の漏洩の可能性を低減できる。
【０１８４】
さらに、会計システム４０２が情報表示装置１０１と情報提供装置３０１との通信路として、安全性の高い通信路を用いる場合、会計システム４０２は、虹彩画像の漏洩の可能性をさらに低減できる。
【０１８５】
コード保存部１４０が虹彩画像に関連付けてコードを保存する場合、コード取得部１２０は、指示取得部１５０の指示を基に虹彩画像を撮影し、保存されている虹彩画像の中で撮影した虹彩画像と一致する虹彩画像に関連するコードを取得してもよい。この場合、会計システム４０２は、予め情報表示装置１０１に虹彩画像を保存した者（例えば、情報表示装置１０１の所有者）が不在の場合におけるコードの表示を保護できる。
【０１８６】
情報表示装置１０１は、コード保存部１４０が保存しているコードに対して、コードを保存する期間、又は、コード取得部１２０が取得する回数に制限を設定してもよい。例えば、情報表示装置１０１は、コード取得部１２０が所定の回数コードを取得した場合、コード保存部１４０に保存されているコードを削除し、情報表示装置１０１の利用者などに対してコードの再取得を依頼してもよい。
【０１８７】
あるいは、情報表示装置１０１は、位置又は範囲などに基づいて、コードを破棄してもよい。例えば、情報表示装置１０１は、所定の施設の入場時に保存したコードを、その施設からの退出時に破棄してもよい。
【０１８８】
［効果の説明］
次に、第２の実施形態にかかる会計システム４０２の効果について説明する。
【０１８９】
第２の実施形態にかかる会計システム４０２は、第１の実施形態の効果に加え、バイオメトリクス情報（例えば、虹彩画像）の安全性を向上するとの効果を提供することができる。
【０１９０】
その理由は、情報処理装置２００が、コードを用いて会計情報を取得する通信路として、情報表示装置１０１が虹彩画像を用いてコードを受信するための通信路と異なる通信路を使用するためである。
【０１９１】
情報表示装置１０１がコードを取得する通路として、安全性が高い通信路を用いる場合、会計システム４０２は、さらに、虹彩画像の通信の安全性を向上できる。
【０１９２】
なお、コード保存部１４０が虹彩画像に関連付けてコードを保存する場合、会計システム４０２は、情報表示装置１０１の所有者などの不在の場合におけるコードの表示を保護するとの効果を奏する。
【０１９３】
その理由は、コード取得部１２０が、指示取得部１５０の指示を基に新たに虹彩画像を撮影し、撮影した虹彩画像に関連するコードを取得するためである。
【０１９４】
＜第３の実施形態＞
情報表示装置１００は、情報提供装置３００を用いずに、虹彩画像から直接的にコードを生成してもよい。そこで、第３の実施形態として、情報表示装置１００がコードを生成する場合について説明する。なお、以下の説明において第１及び第２の実施形態と同様の構成及び動作については、適宜省略する場合がある。
【０１９５】
図８は、第３の実施形態にかかる会計システム４０３の構成の一例を示すブロック図である。
【０１９６】
なお、図８は、会計システム４０３が含む各装置の数を限定するものではない。例えば、会計システム４０３は、複数の情報処理装置２００を含んでもよい。また、会計システム４０３を構成する各装置は、図６に示されているコンピュータを用いて構成されてもよい。なお、コンピュータを用いて各装置を実現する場合、会計システム４０３は、必要に応じて、カメラなどの撮影機器を含んでもよい。
【０１９７】
会計システム４０３は、情報表示装置１０２と、情報処理装置２００と、情報提供装置３０２とを含む。
【０１９８】
情報処理装置２００及び情報提供装置３０２は、第２の実施形態と同様である。
【０１９９】
情報表示装置１０２は、情報表示装置１００の構成に加え、コード生成部１６０を含む。
【０２００】
コード生成部１６０は、撮影部１１０が撮影した虹彩画像からコードを生成する。
【０２０１】
コード取得部１２０は、コード生成部１６０からコードを取得する。
【０２０２】
その他の構成は、第１の実施形態と同様である。
【０２０３】
なお、情報表示装置１０２におけるコードの生成は、１度に限られない。例えば、情報表示装置１０２は、所定の時間の経過後、又は、コード表示回数が所定数を超えた場合、コードを再生成してもよい。この場合、情報表示装置１０２は、図示しない表示部に、コードの再生成の依頼を表示してもよい。
【０２０４】
あるいは、情報表示装置１０２が指示取得部１５０を含む場合、情報表示装置１０２は、指示取得部１５０の指示を基に、コードを再生成してもよい。
【０２０５】
［効果の説明］
次に、第３の実施形態にかかる会計システム４０３の効果を説明する。
【０２０６】
第３の実施形態にかかる会計システム４０３は、第１の実施形態の効果に加え、虹彩画像（つまり、バイオメトリクス情報）の通信を避けるとの効果を奏することができる。
【０２０７】
その理由は、情報表示装置１０２が、バイオメトリクス情報からコードを生成するためである。
【０２０８】
なお、第３の実施形態は、バイオメトリクス情報を送信する必要がない。そのため、第３の実施形態は、第２の実施形態より、さらに、バイオメトリクス情報の安全性を向上できる。
【０２０９】
＜第４の実施形態＞
個人を特定するための情報として、識別子（Ｉｄｅｎｔｉｆｉｅｒ（ＩＤ））が広く用いられている。会計システム４００は、バイオメトリクス画像と識別子とを組み合わせて用いてもよい。
【０２１０】
そこで、第４の実施形態として、識別子を用いた場合の例を説明する。
【０２１１】
図９は、第４の実施形態にかかる会計システム４０４の構成の一例を示すブロック図である。
【０２１２】
なお、図９は、会計システム４０４が含む各装置の数を限定するものではない。例えば、会計システム４０４は、複数の情報処理装置２００を含んでもよい。また、会計システム４０４を構成する各装置は、図６に示されているコンピュータを用いて構成されてもよい。なお、コンピュータを用いて各装置を実現する場合、会計システム４０４は、必要に応じて、カメラなどの撮影機器を含んでもよい。
【０２１３】
会計システム４０４は、情報表示装置１０３と、情報処理装置２００と、情報提供装置３０３とを含む。
【０２１４】
情報提供装置３０３は、情報保存部３１３と、情報提供部３２３とを含む。
【０２１５】
情報保存部３１３は、虹彩画像と、ＩＤ（識別子）と、コードと、会計情報とを含む。
【０２１６】
情報保存部３１３は、虹彩画像とＩＤとを関連付けて保存する。例えば、情報提供装置３０３は、取得した虹彩画像に対して画像認証などを用いて個人を特定し、特定した個人のＩＤと虹彩画像とを関連付けて情報保存部３１３に保存する。あるいは、情報提供装置３０３は、図示しない装置から、虹彩画像とＩＤとこれらを関連付ける情報とを取得し、虹彩画像とＩＤとを関連付けて保存してもよい。
【０２１７】
さらに、情報保存部３１３は、ＩＤとコードとを関連付けて保存する。
【０２１８】
さらに、情報保存部３１３は、コードと会計情報とを関連付けて保存する。
【０２１９】
本実施形態において、コードは、虹彩画像とＩＤとを組み合わせたデータをコードの元データとして用いて生成されてもよい。このように、コードは、バイオメトリクス情報に、その個人に関連する他の情報を組み合わせた情報から生成されてもよい。虹彩画像などバイオメトリクス情報は、少なくとも一部が安定しない情報である。これに対し、ＩＤは、変化しない情報である。そのため、ＩＤを用いてコードを生成すると、バイオメトリクス情報を用いて生成した場合に比べ、生成されるコードが安定する。言い換えると、ＩＤを用いてコードを生成する場合、コードの一致精度が向上する。
【０２２０】
なお、会計システム４０４は、コードの認証として、認証用データを用いてもよい。つまり、会計システム４０４は、情報提供装置３０３が情報処理装置２００から受信する情報として、コードに加え、認証用データを受信してもよい。
【０２２１】
会計システム４０４は、認証用データとして、例えば、ＩＤをハッシュ関数に適用して求めたハッシュを用いてもよい。
【０２２２】
ただし、認証用データは、ＩＤのハッシュに限定されない。例えば、コードは、ＩＤの一部（例えば、上位又は下位の所定数のビット）を含んで生成されてもよい。この場合、会計システム４０４は、認証用データとして、コードに含まれないＩＤのビットをそのまま用いてもよい。情報提供装置３０３は、コードに含めるビットと認証用データに含まれるビットとの組合せと、ＩＤとの比較を基に、コードを認証できる。
【０２２３】
情報提供部３２３は、情報表示装置１０３及び情報処理装置２００に対して、情報を提供する。
【０２２４】
情報表示装置１０３は、第１の実施形態の情報表示装置１００と比べ、コード取得部１２０に替えてコード取得部１２１を含み、さらに、ＩＤ取得部１７０を含む。
【０２２５】
ＩＤ取得部１７０は、撮影部１１０からの虹彩画像を用いて、情報提供装置３０３からＩＤを取得する。ＩＤ取得部１７０は、識別子取得部と呼んでもよい。
【０２２６】
コード取得部１２１は、ＩＤを用いて、情報提供装置３０３から、コードを取得する。
【０２２７】
コード表示部１３０は、コードを表示する。
【０２２８】
情報処理装置２００は、第１の実施形態の情報処理装置２００と同様に動作する。
【０２２９】
なお、会計システム４０４が認証用データを用いる場合、各装置は、例えば、次のように動作する。
【０２３０】
情報表示装置１０３は、情報提供装置３０３から、コードに加え、認証用データを取得する。そして、情報表示装置１０３は、情報処理装置２００に認証用データを提供する。例えば、情報表示装置１０３は、近距離通信を用いて、情報処理装置２００に認証用データを提供する。コードは表示器に表示されるため、離れた場所から撮影される可能性がある。しかし、離れている場所からでは、認証用データは、取得されない。このように、認証用データは、コードとは異なる安全性を備えている。
【０２３１】
情報処理装置２００は、情報表示装置１０３から取得した認証用データを、コードに合わせて情報提供装置３０３に送信する。
【０２３２】
情報提供装置３０３は、コードと認証用データとを用いて、情報処理装置２００を認証する。そして、情報提供装置３０３は、認証された情報処理装置２００に対して、会計情報を提供する。
【０２３３】
［効果の説明］
次に、第４の実施形態にかかる会計システム４０４の効果について説明する。
【０２３４】
会計システム４０４は、第１の実施形態の効果に加え、コードの一致精度を向上させるとの効果を奏する。
【０２３５】
その理由は、会計システム４０４が、バイオメトリクス情報に加え、ＩＤを用いてコードを生成するためである。
【０２３６】
さらに、認証用データを用いる場合、会計システム４０４は、さらに、会計情報の提供の安定性を向上するとの効果を奏する。
【０２３７】
なお、識別子（ＩＤ）は、一般的な情報処理システムにおいて、広く用いられている。例えば、会計システム４０４は、一般的な会計システムに、虹彩画像に関連する構成を追加することで、必要となる主な構成を実現することができる。つまり、会計システム４０４は、第１の実施形態などに比べ、一般的な会計システムからの構築が容易であるとの効果を奏する。
【０２３８】
＜第５の実施形態＞
左右の虹彩は、異なる。つまり、各個人に対して、個人を特定するための虹彩画像は、２つである。そこで、第５の実施形態として、個人における２つの虹彩画像を用いる実施形態を説明する。
【０２３９】
以下の第５の実施形態の説明として、図１の会計システム４００を用いて説明する。ただし、これは、第５の実施形態を図１に示されている会計システム４００に限定するものではない。第５の実施形態は、第２の実施形態ないし第４の実施形態に適用されてもよい。
【０２４０】
以下の説明において、第１の実施形態と同様の構成及び動作の説明を省略し、第５の実施形態に特有の内容を説明する。なお、以下の説明において、片眼の虹彩に関連する画像を「片眼の虹彩画像」、片眼の虹彩画像に関連するコードを「片眼のコード」と呼ぶ。また、両眼の虹彩に関連する画像を「両眼の虹彩画像」、両眼の虹彩画像に関連するコードを「両眼のコード」と呼ぶ。左眼及び右眼に関しても同様とする。
【０２４１】
情報表示装置１００は、情報表示装置１００の利用者の指示（例えば、キー操作）に応じて、片眼のコード又は両眼のコードのどちらかを表示する。
【０２４２】
情報処理装置２００は、情報表示装置１００が表示するコードを撮影し、撮影したコードを情報提供装置３００に送信する。
【０２４３】
情報提供装置３００の情報提供部３２０は、受信したコードが、片眼のコードであるか、両眼のコードであるかを判定し、判定結果を基に情報処理装置２００に提供する会計情報を変更する。
【０２４４】
例えば、情報提供部３２０は、片眼のコードを受信した場合、会計情報として、利用限度額が低い口座の情報を提供する。一方、情報提供部３２０は、両眼のコードを受信した場合、会計情報として、利用限度額が高い口座の情報を提供する。これは、両眼の虹彩画像を用いる場合は、片眼の虹彩画像を用いる場合に比べて、安全性がより高いためである。
【０２４５】
あるいは、例えば、情報提供部３２０は、片眼のコードを受信した場合、会計情報として、振り込み用の口座の情報を提供する。一方、情報提供部３２０は、両眼のコードを受信した場合に、会計情報として、引き落とし用の口座の情報を提供してもよい。
【０２４６】
このように、会計情報取得部２２０が片眼のコードを用いて取得する会計情報は、両眼のコードを用いて取得する会計情報と少なくとも一部が異なる。この場合の「異なる」は、情報の有無、すなわち、会計情報が包含関係となっている場合を含む。
【０２４７】
あるいは、情報表示装置１００は、右眼のコードと左眼のコードとを区別して用いてもよい。この場合、情報提供部３２０は、コードの左右の区別に基づいて、提供する会計情報を変更してもよい。例えば、情報表示装置１００の利用者が２つの銀行の口座を持っている場合、情報提供部３２０は、左眼のコードに対しては、いずれか一の銀行の口座の情報を提供し、右眼のコードに対して別の銀行の口座の情報を提供してもよい。
【０２４８】
会計システム４００は、上記の組合せ、つまり、左眼のコード、右眼のコード、及び両眼のコードの３つのコードを用いてもよい。
【０２４９】
［効果の説明］
次に、第５の実施形態の効果について説明する。
【０２５０】
第５の実施形態は、第１の実施形態の効果に加え、利用する眼に基づいて、情報処理装置２００に提供する会計情報を変更できるとの効果を奏する。
【０２５１】
その理由は、次のとおりである。
【０２５２】
情報表示装置１００は、片眼のコード、又は、両眼のコードを表示する。あるいは、情報表示装置１００は、左眼のコード、又は、右眼のコードを表示する。情報提供装置３００は、情報処理装置２００から受信したコードがいずれの眼に関連するかに基づいて、提供する会計情報を変更する。
【０２５３】
例えば、第５の実施形態にかかる会計システム４００は、情報表示装置１００の利用者の複数の口座に対応することができる。
【０２５４】
なお、各実施形態は、組み合わせて用いられてもよい。
【０２５５】
上記の実施形態の一部又は全部は、以下の付記のようにも記載されうるが、以下には限られない。
【０２５６】
（付記１）
人を撮影する第１の撮影手段と、
撮影された人に固有の身体的特徴に基づくコードを表示するコード表示手段と、
を含む情報表示装置と、
情報表示装置が表示したコードを撮影する第２の撮影手段と、
撮影したコードを用いて、人の会計情報を取得する会計情報取得手段と、
会計情報を用いて会計処理を実行する会計処理手段と、
を含む情報処理装置と、
を含む会計システム。
【０２５７】
（付記２）
情報表示装置が、
コードを保存するコード保存手段をさらに含み、
コード表示手段が、指示を基にコード保存手段に保存されているコードを表示する
付記１に記載の会計システム。
【０２５８】
（付記３）
情報表示装置が、
撮影された前記身体的特徴を基に、コードを生成するコード生成手段をさらに含み、
コード表示手段が、生成されたコードを表示する
付記１又は２に記載の会計システム。
【０２５９】
（付記４）
第１の撮影手段は、施設の入り口に設置されている
付記３に記載の会計システム。
【０２６０】
（付記５）
情報表示装置が、さらに、
撮影さえて身体的特徴を用いて人の識別子を取得する識別子取得手段を含み、
コード表示手段が、取得した識別子を用いてコードを表示する
付記１ないし４のいずれか１項に記載の会計システム。
【０２６１】
（付記６）
コードが、識別子の少なくとも一部を含む
付記５に記載に会計システム。
【０２６２】
（付記７）
情報表示装置が、人からの指示を取得する指示取得手段をさらに含み、
コード表示手段が、指示取得手段からの指示を基にコードを表示する
付記１ないし６のいずれか１項に記載の会計システム。
【０２６３】
（付記８）
コード表示手段が、
第１の撮影手段が片眼の虹彩画像を撮影した場合に片眼のコードを表示し、第１の撮影手段が両眼の虹彩画像を撮影した場合に両眼のコードを表示し、
会計情報取得手段が、
第２の撮影手段が両眼のコードを撮影した場合に、第２の撮影手段が片眼のコードを撮影した場合に取得する会計情報と、少なくとも一部が異なる会計情報を取得する
付記１ないし７のいずれか１項に記載の会計システム。
【０２６４】
（付記９）
コード表示手段が、
第１の撮影手段が左眼の虹彩画像を撮影した場合に左眼のコードを表示し、第１の撮影手段が右眼の虹彩画像を撮影した場合に右眼のコードを表示し、
会計情報取得手段が、
第２の撮影手段が左眼のコードを撮影した場合に、第２の撮影手段が右眼のコードを撮影した場合に取得する会計情報と、少なくとも一部が異なる会計情報を取得する
付記８に記載の会計システム。
【０２６５】
（付記１０）
コードが、一次元コード又は二次元コードである
付記１ないし９のいずれか１項に記載の会計システム。
【０２６６】
（付記１１）
情報表示装置から受信した人に固有の身体的特徴の画像を基に情報表示装置にコードを提供し、
情報処理装置から受信したコードを基に情報処理装置に会計情報を提供する
情報提供装置をさらに含む、
付記１ないし１０のいずれか１項に記載の会計システム。
【０２６７】
（付記１２）
コードの情報量が、人に固有の身体的特徴の画像の情報量より少ない
付記１ないし１１のいずれか１項に記載の会計システム。
【０２６８】
（付記１３）
人を撮影する第１の撮影手段と、
コードを撮影し、
撮影したコードを用いて、人の会計情報を取得し、
会計情報を用いて会計処理を実行する
情報処理装置が撮影するコードとして、撮影された人に固有の身体的特徴に基づくコードを表示するコード表示手段と、
を含む情報表示装置。
【０２６９】
（付記１４）
人を撮影し、
撮影された人に固有の身体的特徴に基づくコードを表示する
情報表示装置が表示したコードを撮影する第２の撮影手段と、
撮影したコードを用いて、人の会計情報を取得する会計情報取得手段と、
会計情報を用いて会計処理を実行する会計処理手段と、
を含む情報処理装置。
【０２７０】
（付記１５）
会計システムにおいて、
情報表示装置が、
人を撮影し、
撮影された人に固有の身体的特徴に基づくコードを表示し、
情報処理装置が、
情報表示装置が表示したコードを撮影し、
撮影したコードを用いて、人の会計情報を取得し、
会計情報を用いて会計処理を実行する
会計処理方法。
【０２７１】
（付記１６）
情報表示装置が、
人を撮影し、
コードを撮影し、
撮影したコードを用いて、人の会計情報を取得し、
会計情報を用いて会計処理を実行する
情報処理装置が撮影するコードとして、撮影された人に固有の身体的特徴に基づくコードを表示する
会計処理方法。
【０２７２】
（付記１７）
情報処理装置が、
人を撮影し、
撮影された人に固有の身体的特徴に基づくコードを表示する
情報表示装置が表示したコードを撮影し、
撮影したコードを用いて、人の会計情報を取得し、
会計情報を用いて会計処理を実行する
会計処理方法。
【０２７３】
（付記１８）
情報表示装置に、
人を撮影する処理と、
コードを撮影し、
撮影したコードを用いて、人の会計情報を取得し、
会計情報を用いて会計処理を実行する
情報処理装置が撮影するコードとして、人に固有の身体的特徴に基づくコードを表示する処理と
を実行させるプログラムを記録する記録媒体。
【０２７４】
（付記１９）
情報処理装置に、
人を撮影し、
撮影された人に固有の身体的特徴に基づくコードを表示する
情報表示装置が表示したコードを撮影する処理と、
撮影したコードを用いて、人の会計情報を取得する処理と、
会計情報を用いた会計処理と
実行させるプログラムを記録する記録媒体。
【０２７５】
以上、実施形態を参照して本願発明を説明したが、本願発明は上記実施形態に限定されものではない。本願発明の構成や詳細には、本願発明のスコープ内で当業者が理解し得る様々な変更をすることができる
【産業上の利用可能性】
【０２７６】
本発明は、ショッピングモールなど複数の店舗を含む施設、免税品及び課税品など異なる集計が必要な店舗などにおいて利用可能である。
【符号の説明】
【０２７７】
１００    情報表示装置
１０１    情報表示装置
１０２    情報表示装置
１０３    情報表示装置
１０４    情報表示装置
１１０    撮影部
１２０    コード取得部
１２１    コード取得部
１３０    コード表示部
１４０    コード保存部
１５０    指示取得部
１６０    コード生成部
１７０    ＩＤ取得部
２００    情報処理装置
２１０    撮影部
２２０    会計情報取得部
２３０    会計処理部
３００    情報提供装置
３０１    情報提供装置
３０２    情報提供装置
３０３    情報提供装置
３１０    情報保存部
３１１    情報保存部
３１２    情報保存部
３１３    情報保存部
３２０    情報提供部
３２１    情報提供部
３２２    情報提供部
３２３    情報提供部
４００    会計システム
４０１    会計システム
４０２    会計システム
４０３    会計システム
４０４    会計システム
６００    情報処理装置
６１０    ＣＰＵ
６２０    ＲＯＭ
６３０    ＲＡＭ
６４０    内部記憶装置
６５０    ＩＯＣ
６６０    入力機器
６７０    表示機器
６８０    ＮＩＣ
７００    記録媒体
【図１】
2020070870.tif 000003
【図２】
2020070870.tif 000004
【図３】
2020070870.tif 000005
【図４】
2020070870.tif 000006
【図５】
2020070870.tif 000007
【図６】
2020070870.tif 000008
【図７】
2020070870.tif 000009
【図８】
2020070870.tif 000010
【図９】
2020070870.tif 000011
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
個人に固有の身体的特徴に関する画像であるバイオメトリクス画像を撮影する第１の撮影手段と、
撮影された前記バイオメトリクス画像に関連するコードを取得するコード取得手段と、
取得された前記コードを表示するコード表示手段と、
を含む情報表示装置と、
前記情報表示装置が表示した前記コードを撮影する第２の撮影手段と、
撮影した前記コードを用いて、前記個人の会計情報を取得する会計情報取得手段と、
前記会計情報を用いて前記個人に関連する会計処理を実行する会計処理手段と、
を含む情報処理装置と、
を含む会計システム。
【請求項２】
前記情報表示装置が、
前記コード取得手段が取得した前記コードを保存するコード保存手段をさらに含み、
前記コード取得手段が、指示を基に保存されている前記コードを取得する
請求項１に記載の会計システム。
【請求項３】
前記情報表示装置が、
撮影された前記バイオメトリクス画像を基に、前記コードを生成するコード生成手段をさらに含み、
前記コード取得手段が生成された前記コードを取得する
請求項１又は２に記載の会計システム。
【請求項４】
前記コード生成手段が、
前記情報処理装置が設置されている施設に入るときに、前記コードを生成する
請求項３に記載の会計システム。
【請求項５】
前記情報表示装置が、さらに、
前記バイオメトリクス画像を用いて前記個人の識別子を取得する識別子取得手段を含み、
前記コード取得手段が、取得した前記識別子を用いて前記コードを取得する
請求項１ないし４のいずれか１項に記載の会計システム。
【請求項６】
前記コードが、前記識別子の少なくとも一部を含む
請求項５に記載に会計システム。
【請求項７】
前記情報表示装置が、前記個人からの指示を取得する指示取得手段をさらに含み、
前記コード取得手段が、前記指示取得手段からの前記指示を基に前記コードを取得する
請求項１ないし６のいずれか１項に記載の会計システム。
【請求項８】
前記コード取得手段が、
前記第１の撮影手段が片眼の虹彩画像を撮影した場合に片眼の前記コードを取得し、前記第１の撮影手段が両眼の前記虹彩画像を撮影した場合に両眼の前記コードを取得し、
前記会計情報取得手段が、
前記第２の撮影手段が両眼の前記コードを撮影した場合に、前記第２の撮影手段が片眼の前記コードを撮影した場合に取得する前記会計情報と、少なくとも一部が異なる前記会計情報を取得する
請求項１ないし７のいずれか１項に記載の会計システム。
【請求項９】
前記コード取得手段が、
前記第１の撮影手段が左眼の前記虹彩画像を撮影した場合に左眼の前記コードを取得し、前記第１の撮影手段が右眼の前記虹彩画像を撮影した場合に右眼の前記コードを取得し、
前記会計情報取得手段が、
前記第２の撮影手段が左眼の前記コードを撮影した場合に、前記第２の撮影手段が右眼の前記コードを撮影した場合に取得する前記会計情報と、少なくとも一部が異なる前記会計情報を取得する
請求項８に記載の会計システム。
【請求項１０】
前記コードが、一次元コード又は二次元コードである
請求項１ないし９のいずれか１項に記載の会計システム。
【請求項１１】
前記バイオメトリクス画像を基に前記コードと提供し、
前記コードを基に前記会計情報を提供する
情報提供装置をさらに含む、
請求項１ないし１０のいずれか１項に記載の会計システム。
【請求項１２】
前記コードの情報量が、前記バイオメトリクス画像の情報量より少ない
請求項１ないし１１のいずれか１項に記載の会計システム。
【請求項１３】
個人に固有の身体的特徴に関する画像であるバイオメトリクス画像を撮影する第１の撮影手段と、
撮影された前記バイオメトリクス画像に関連するコードを取得するコード取得手段と、
前記コードを撮影し、
撮影した前記コードを用いて、前記個人の会計情報を取得し、
前記会計情報を用いて前記個人に関連する会計処理を実行する
情報処理装置が撮影する前記コードとして、取得された前記コードを表示するコード表示手段と、
を含む情報表示装置。
【請求項１４】
個人に固有の身体的特徴に関する画像であるバイオメトリクス画像を撮影し、
撮影された前記バイオメトリクス画像に関連するコードを取得し、
取得された前記コードを表示する
情報表示装置が表示した前記コードを撮影する第２の撮影手段と、
撮影した前記コードを用いて、前記個人の会計情報を取得する会計情報取得手段と、
前記会計情報を用いて前記個人に関連する会計処理を実行する会計処理手段と、
を含む情報処理装置。
【請求項１５】
会計システムにおいて、
情報表示装置が、
個人に固有の身体的特徴に関する画像であるバイオメトリクス画像を撮影し、
撮影された前記バイオメトリクス画像に関連するコードを取得し、
取得された前記コードを表示し、
情報処理装置が、
前記情報表示装置が表示した前記コードを撮影し、
撮影した前記コードを用いて、前記個人の会計情報を取得し、
前記会計情報を用いて前記個人に関連する会計処理を実行する
会計処理方法。
【請求項１６】
情報表示装置が、
個人に固有の身体的特徴に関する画像であるバイオメトリクス画像を撮影し、
撮影された前記バイオメトリクス画像に関連するコードを取得し、
前記コードを撮影し、
撮影した前記コードを用いて、前記個人の会計情報を取得し、
前記会計情報を用いて前記個人に関連する会計処理を実行する
情報処理装置が撮影する前記コードとして、取得された前記コードを表示する
会計処理方法。
【請求項１７】
情報処理装置が、
個人に固有の身体的特徴に関する画像であるバイオメトリクス画像を撮影し、
撮影された前記バイオメトリクス画像に関連するコードを取得し、
取得された前記コードを表示する
情報表示装置が表示した前記コードを撮影し、
撮影した前記コードを用いて、前記個人の会計情報を取得し、
前記会計情報を用いて前記個人に関連する会計処理を実行する
会計処理方法。
【請求項１８】
情報表示装置に、
個人に固有の身体的特徴に関する画像であるバイオメトリクス画像を撮影する処理と、
撮影された前記バイオメトリクス画像に関連するコードを取得する処理と、
前記コードを撮影し、
撮影した前記コードを用いて、前記個人の会計情報を取得し、
前記会計情報を用いて前記個人に関連する会計処理を実行する
情報処理装置が撮影する前記コードとして、取得された前記コードを表示する処理と
を実行させるプログラム。
【請求項１９】
情報処理装置に、
個人に固有の身体的特徴に関する画像であるバイオメトリクス画像を撮影し、
撮影された前記バイオメトリクス画像に関連するコードを取得し、
取得された前記コードを表示する
情報表示装置が表示した前記コードを撮影する処理と、
撮影した前記コードを用いて、前記個人の会計情報を取得する処理と、
前記会計情報を用いて前記個人に関連する会計処理と
を実行させるプログラム。
【手続補正３】
【補正対象書類名】明細書
【補正対象項目名】００２７
【補正方法】変更
【補正の内容】
【００２７】
本発明の一形態におけるプログラムは、
情報表示装置に、
個人に固有の身体的特徴に関する画像であるバイオメトリクス画像を撮影する処理と、
撮影されたバイオメトリクス画像に関連するコードを取得する処理と、
コードを撮影し、
撮影したコードを用いて、個人の会計情報を取得し、
会計情報を用いて個人に関連する会計処理を実行する
情報処理装置が撮影するコードとして、取得されたコードを表示する処理と
を実行させる。
【手続補正４】
【補正対象書類名】明細書
【補正対象項目名】００２８
【補正方法】変更
【補正の内容】
【００２８】
本発明の第二の形態におけるプログラムは、
情報処理装置に、
個人に固有の身体的特徴に関する画像であるバイオメトリクス画像を撮影し、
撮影されたバイオメトリクス画像に関連するコードを取得し、
取得されたコードを表示する
情報表示装置が表示したコードを撮影する処理と、
撮影したコードを用いて、個人の会計情報を取得する処理と、
会計情報を用いて個人に関連する会計処理と
を実行させる。
【国際調査報告】
2020070870.tif 000012
2020070870.tif 000013
2020070870.tif 000014